(57)【要約】【課題】ＰＣなどの外部装置から不正アクセスを防止して、しかもユーザの利便性を向上させる。【解決手段】ＣＰＵ１０２はリモート端末１１３からのアクセス要求がＷＬＡＮ１１４で行われると、ＷＬＡＮで用いられるセキュリティのレベルが所定のレベルであるか否かを判定し、セキュリティのレベルが所定のレベル以下であると、情報処理装置に処理要求を受け付けるための初期画面の表示を許可するポータル表示許可が設定されているか否かを判定する。ＣＰＵはポータル表示許可が設定されていると、初期画面をリモート端末に表示し、ポータル表示許可が設定されていないと、リモート端末による処理要求を制限する。【選択図】図３
2013117834.tif 000002
【特許請求の範囲】
【請求項１】
情報処理装置であって、
外部装置から画面データを取得する要求を受信する受信手段と、
前記要求が無線通信で行われた場合、当該無線通信で用いられるセキュリティ方式が所定のセキュリティ方式であるか否かを判定する判定手段と、
前記判定手段により前記所定のセキュリティ方式でないと判定された場合、前記情報処理装置に備えられた操作部での所定の入力操作がされたことを条件に前記受信した要求に応じた画面データを前記外部装置に送信するように制御する制御手段と、
を有することを特徴とする情報処理装置。
【請求項２】
前記制御手段は、前記判定手段によって前記所定のセキュリティ方式でないと判定された場合、前記外部装置に前記操作部から所定の入力操作を行った際に前記要求に応じたアクセスが可能となる旨の通知を行うことを特徴とする請求項１に記載の情報処理装置。
【請求項３】
前記制御手段は、前記外部装置から送られた当該外部装置を識別するための識別情報が予め登録されていると前記要求を許可して、前記外部装置からの要求に応じた画面データを送信するように制御することを特徴とする請求項１〜５のいずれか１項に記載の情報処理装置。
【請求項４】
前記情報処理装置に前記要求を無条件で許可するか否かを設定するための設定手段を有し、
前記制御手段は、前記要求を無条件で受け付ける設定が行われていると、前記外部装置から受信した要求に応じた画面データを送信するように制御することを特徴とする請求項１乃至３のいずれか１項に記載の情報処理装置。
【請求項５】
前記外部装置から前記要求があった際、前記外部装置にログイン画面を表示するための画面データを送信するログイン画面データ送信手段を有し、
前記制御手段は、前記ログイン画面で予め設定された管理者パスワードが入力されると、前記要求を許可して前記外部装置からの要求に応じた画面データを送信するように制御することを特徴とする請求項３又は４に記載の情報処理装置。
【請求項６】
前記判定手段によって前記所定のセキュリティ方式であると判定された場合に、前記制御手段は、前記外部装置を識別する識別情報を登録することを特徴とする請求項１乃至５のいずれか１項に記載の情報処理装置。
【請求項７】
情報処理装置の制御方法であって、
外部装置から画面データを取得する要求を受信する受信ステップと、
前記要求が無線通信で行われた場合、当該無線通信で用いられるセキュリティ方式が所定のセキュリティ方式であるか否かを判定する判定ステップと、
前記所定のセキュリティ方式でないと判定された場合、前記情報処理装置に備えられた操作部での所定の入力操作がされたことを条件に前記受信した要求に応じた画面データを前記外部装置に送信する送信ステップと、
を有することを特徴とする制御方法。
【請求項８】
請求項１ないし６のいずれか１項に記載の情報処理装置の各手段としてコンピュータを機能させるための制御プログラム。
【発明の詳細な説明】
【技術分野】
【０００１】
本発明は、情報処理装置、その制御方法、および制御プログラムに関し、特に、無線通信機能を備える情報処理装置に関する。
【背景技術】
【０００２】
情報処理装置の一つとして、例えば、複写機、プリンタ、又はファクシミリなどの画像形成装置がある。そして、近年、画像形成装置には無線ＬＡＮ機能などの無線通信機能を備えるものがある。無線ＬＡＮを用いれば、ケーブルなどの配線が不要となって、例えば、建物外に存在する外部装置（ＰＣなど）から画像形成装置を用いることができる。
【０００３】
無線ＬＡＮを用いれば、配線を施すことなく外部装置から画像形成装置をアクセスすることができるため、管理者が意図しないユーザから画像形成装置をアクセスすることが可能となる。このような意図しないアクセスを防止するため、例えば、無線ＬＡＮを用いて画像形成装置に接続する際に、ＷＥＰ（Ｗｉｒｅｄ  Ｅｑｕｉｖａｌｅｎｔ  Ｐｒｉｖａｃｙ）キーを用いた認証が行われている。
【０００４】
一方、認証を省略した無線ＬＡＮによる接続（以下認証フリー無線接続という）が存在する。そして、認証フリー無線接続を用いれば、不特定多数の外部装置（例えば、パーソナルコンピュータ（ＰＣ））から画像形成装置が不正利用されて、プリントジョブなどが実行されることがある。
【０００５】
特に、外部装置に備えられたＷｅｂブラウザ機能を用いれば、画像形成装置の設置場所にいなくても、ユーザは画像形成装置の設定情報や装置情報、画像形成装置に記録されたアドレス帳の閲覧ができるばかりでなく、その編集を行うことが可能となる。
【０００６】
画像形成装置が認証フリー無線接続の状態にあると、当該画像形成装置に無線接続可能な範囲に存在する外部装置はＷｅｂブラウザ機能によって画像形成装置に対してアクセスを行うことができることになる。この結果、不特定多数の外部装置から画像形成装置に記録されたアドレス帳などのプライベート情報が搾取される恐れがある。
【０００７】
ところで、画像形成装置などの情報処理装置に対するリモートアクセスを制限する手法として、外部装置からアクセス要求があると、画像形成装置は当該外部装置を特定するＩＰアドレスおよびＭＡＣアドレスを抽出して、当該ＩＰアドレスおよびＭＡＣアドレスが予め登録されたＩＰアドレスおよびＭＡＣアドレスであると、外部装置にアクセスを許可するようにしたものがある（例えば。特許文献１参照）。これによって、特許文献１では事前に管理者の承認を得た外部装置にのみ画像形成装置に対するアクセスを許可するようにしている。
【先行技術文献】
【特許文献】
【０００８】
【特許文献１】特開２００３−２２３３０７号公報
【発明の概要】
【発明が解決しようとする課題】
【０００９】
前述のように、特許文献１では、外部装置に係る識別情報を事前登録しておけば、画像形成装置に対するアクセスは許可される。この事前登録にあたっては、予め管理者の承認を受ける必要がある。さらに、アクセスが許可されるためには、画像形成装置に外部装置に係る識別情報を正確に登録する必要がある。
【００１０】
このような状況下では、事業所又はオフィスなどで新たにＰＣなどの外部装置を設置した場合、又はＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバに登録されたＩＰアドレス（識別情報）と異なるＩＰアドレスを外部装置が取得すると、外部装置に係る識別情報を管理者に通知して、その登録を依頼しなければならず、ユーザにとっては利便性に欠けるという問題がある。加えて、管理者の不在などで登録処理が行えないと、登録されるまで当該外部装置から画像形成装置をアクセスできず、この点においてもユーザの利便性に欠けるという問題がある。
【００１１】
従って、本発明の目的は、ＰＣなどの外部装置から不正アクセスを防止して、しかもユーザの利便性を向上することのできる情報処理装置、その制御方法、および制御プログラムを提供することにある。
【課題を解決するための手段】
【００１２】
上記の目的を達成するため、本発明による情報処理装置は、外部装置から画面データを取得する要求を受信する受信手段と、前記要求が無線通信で行われた場合、当該無線通信で用いられるセキュリティ方式が所定のセキュリティ方式であるか否かを判定する判定手段と、前記判定手段により前記所定のセキュリティ方式でないと判定された場合、前記情報処理装置に備えられた操作部での所定の入力操作がされたことを条件に前記受信した要求に応じた画面データを前記外部装置に送信するように制御する制御手段と、を有することを特徴とする。
【発明の効果】
【００１３】
本発明によれば、ＰＣなどの外部装置から不正アクセスを防止して、しかもユーザの利便性を向上させることができる。
【図面の簡単な説明】
【００１４】
【図１】本発明の実施の形態による情報処理装置の一例である画像形成装置のハードウェア構成を示すブロック図である。
【図２】図１に示す操作パネルの一例を示す図である。
【図３】図１に示す画像形成装置がアクセス要求を受けた際の動作を説明するためのフローチャートである。
【図４】図１に示すリモート端末に表示される実機操作指示画面の一例を示す図である。
【図５】図１に示す操作パネルに表示されるアクセス承認画面の一例を示す図である。
【発明を実施するための形態】
【００１５】
以下、本発明の実施の形態による情報処理装置の一例について図面を参照して説明する。
【００１６】
図１は、本発明の実施の形態による情報処理装置の一例である画像形成装置のハードウェア構成を示すブロック図である。
【００１７】
図１では、情報処理装置の一例として画像形成装置が示されている。画像形成装置１００は、コントローラ部１０１、印刷部１０６、読取部１０８、および操作パネル（操作部）１１１を有しており、コントローラ部１０１によって印刷部１０６、読取部１０８、および操作パネル１１１が制御される。
【００１８】
コントローラ部１０１はＣＰＵ１０２、ＲＡＭ１０３、ＲＯＭ１０４、印刷部Ｉ／Ｆ（インタフェース）１０５、読取部Ｉ／Ｆ１０７、有線通信部１０９、および無線通信部１１０を有しており、ＣＰＵ１０２、ＲＡＭ１０３、ＲＯＭ（例えば、Ｅｌｅｃｔｒｉｃａｌｌｙ  Ｅｒａｓａｂｌｅ  Ｐｒｏｇｒａｍｍａｂｌｅ  ＲＯＭ）１０４、印刷部Ｉ／Ｆ１０５、読取部Ｉ／Ｆ１０７、有線通信部１０９、および無線通信部１１０はシステムバス１１２によって相互に接続されている。ＣＰＵ１０２は、ＲＯＭ１０４のプログラム領域に記憶された各種制御プログラムに応じて制御を実行する。各種制御プログラムを実行する際には、例えば、ＲＯＭ１０４から制御プログラムがＲＡＭ１０３に展開される。なお、ハードディスクドライブ（ＨＤＤ：図示せず）に各種制御プログラムを格納するようにしてもよい。
【００１９】
有線通信部１０９は、有線ＬＡＮ（図示せず）を介してリモート端末（外部装置）１１３と通信を行う。無線通信部１１０は、無線ＬＡＮ１１４を介してリモート端末１１３と通信を行う。図示はしないが、無線ＬＡＮ１１４による通信は、無線アクセスポイント（無線ＡＰ）を介して行われる。
【００２０】
なお、図示の例では、外部装置としてリモート端末１１３のみが示されているが、リモート端末は複数存在してもよい。また、リモート端末１１３はＷｅｂブラウザ機能を備えており、画像形成装置１００に記憶されている装置情報や電話帳情報（アドレス帳）、部門管理情報などを閲覧又は編集できる。
【００２１】
無線ＬＡＮによってリモート端末１１３が画像形成装置１００をアクセスする際には、リモート端末１１３は少なくともアクセス対象である画像形成装置を識別する装置識別情報とリモート端末１１３を識別する端末識別情報とを付加したアクセス要求信号を送出する。このアクセス要求信号は無線通信部１１０を介してＣＰＵ１０２に与えられる。
【００２２】
ＣＰＵ１０２は受信した装置識別情報が自装置識別情報に一致し、かつ端末識別情報が予めＲＯＭ１０４に登録された登録端末情報と一致すると、後述するように、無線通信部１１０を介してアクセス許可信号をリモート端末１１３に与える。これによって、リモート端末１１３は画像形成装置１００に対してプリントジョブ要求などの処理要求を行うことができる。そして、画像形成装置１００は処理要求に応じてジョブ処理を行う。
【００２３】
なお、アクセスを拒否した際には、当該アクセス拒否に係る端末識別情報は拒否端末情報として、例えば、ＲＯＭ１０４に記憶される。
【００２４】
印刷部Ｉ／Ｆ１０５は、ＣＰＵ１０２から画像データを印刷部（プリンタエンジン）１０６に出力するためのインタフェースである。読取部Ｉ／Ｆ１０７は読取部１０８（スキャナエンジン）で原稿を読み取った結果得られた画像データを入力するためのインタフェースである。ＣＰＵ１０２は当該画像データに対して所定の処理を施した後、印刷用画像データとして印刷部Ｉ／Ｆ１０５に出力する。
【００２５】
また、ＣＰＵ１０２は、ＲＯＭ１０４のフォント領域に記憶されたフォント情報を用いて、操作パネル１１１の表示部に文字又は記号を表示する。さらに、ＣＰＵ１０２は操作パネル１１１で受け付けた指示情報に応じた処理を行う。
【００２６】
なお、ＲＯＭ１０４のデータ領域には、例えば、画像形成装置１００に係る装置情報、ユーザの電話帳情報、および部門管理情報などが設定情報（項目ともいう）として記憶される。そして、ＣＰＵ１０２は必要に応じて設定情報を読み出して更新する。
【００２７】
図２は、図１に示す操作パネル１１１の一例を示す図である。
【００２８】
図２において、操作パネル１１１は表示部２０５を備えており、この表示部２０５には、例えば、画像形成装置１００の設定状態および機器状態が表示される。矢印キー２０６は、表示部２０５に表示されたカーソルなどを移動する際に用いられる。矢印キー２０６は、上下左右４つのボタンがあり、矢印キー２０６の中央にはＯＫキー２０７が配置されている。そして、ＯＫキー２０７を押し下げると、設定又は問い合わせに対する応答が決定する。
【００２９】
さらに、操作パネル１１１には、コピー、ＦＡＸ、スキャン、およびメディアプリントなどの機能を選択するファンクションキー２０１〜２０４が備えられている。これらファンクションキー２０１〜２０４の押し下げによって当該機能に対応する処理が行われる。
【００３０】
例えば、コピーの設定（用紙サイズ）を変更したい場合には、ファンクションキー２０１を押し下げると、ＣＰＵ１０２は表示部２０５にコピー機能画面を表示する。そして、ユーザは矢印キー２０６を用いて変更したい項目（用紙サイズ）を選択して、ＯＫキー２０７を押し下げる。これによって、ＣＰＵ１０２は表示部２０５に選択可能な設定画面を表示する。続いて、ユーザは矢印キー２０６を用いて所望の設定位置にカーソルを移動させてＯＫキー２０７を押し下げると、コピー設定が決定される。
【００３１】
なお、操作パネル１１１には、テンキー２０８、白黒キー２０９、カラーキー２１０、およびストップーキー２１１などが備えられている。これらキーの機能は、本実施の形態に直接関係ないので、説明を省略する。
【００３２】
図３は、図１に示す画像形成装置１００がリモート端末１１３等の複数の端末からアクセス要求を受けた際の画像形成装置１００における動作を説明するためのフローチャートである。このフローチャートを実行するための制御プログラムはＲＯＭ１０４に格納されており、ＣＰＵ１０２により実行される。なお、本実施形態のアクセス要求とは、リモート端末１１３のＷｅｂブラウザにより送信される要求であり、ＨＴＴＰのプロトコルに従った要求である。この要求は、具体的には、画像形成装置１００に記憶されている画面のデータを取得する要求等である。
【００３３】
図１および図３を参照して、画像形成装置１００には、予め当該画像形成装置を使用可能なリモート端末に係る端末識別情報が登録されている。そして、画像形成装置１００ではリモート端末からアクセス要求があると、当該アクセス要求を行ったリモート端末の端末識別情報が登録されているについて認証を行って、アクセス許可を行うか否かを決定する。
【００３４】
さらに、画像形成装置１００は無条件でアクセス要求を許可するアクセス無条件許可状態に設定することができる。このアクセス無条件許可状態の設定は、操作パネル１１１から画像形成装置１００を管理する管理者によって行われる。なお、アクセス無条件許可状態であると、画像形成装置１００、つまり、ＣＰＵ１０２は、上記の認証は行わない。
【００３５】
また、画像形成装置１００には、ログイン後の初期画面（ポータル）の表示を無条件で許可するポータル表示許可状態の設定を行うことができる。そして、画像形成装置１００は、初期画面で表示される項目毎に無条件でアクセスを許可するか否かを設定することができる（この許可を項目無条件許可状態という）。これの設定は、管理者が操作パネル１１１から行う。
【００３６】
いま、リモート端末１１３が画像形成装置１００に対してアクセス要求を行ったとする。画像形成装置１００のＣＰＵ１０２は、リモート端末１１３からアクセス要求を受信する（ステップＳ５０１）。このアクセス要求に応答して、ＣＰＵ１０２はリモート端末１１３の表示部（図示せず）にログイン画面を表示するため、ログイン画面のデータ（例えばＨＴＭＬファイル）をリモート端末１１３に送信する。このログイン画面を介して、リモート端末１１３から、例えば、ログイン指示が入力される。
【００３７】
なお、このログイン画面には、管理者ログイン欄（図示せず）があり、管理者としてログインする際には、当該管理者ログイン欄にチェックを入れて、管理者ログインパスワード（管理者パスワード）を入力する。
【００３８】
ログイン画面からログインがあると、ＣＰＵ１０２は画像形成装置１００にアクセス無条件許可状態が設定されているか又はアクセス要求元のリモート端末に係る端末識別情報がＲＯＭ１０４に登録されているか否かを判定する（ステップＳ５０３）。画像形成装置１００がアクセス無条件許可状態でなくかつ端末識別情報が登録されていないと（ステップＳ５０３において、ＮＯ）、ＣＰＵ１０２は当該ログインが管理者としてのログインであるか否かを判定する（ステップＳ５０４）。つまり、ＣＰＵ１０２は管理者ログイン欄にチェックがあるか否かを判定することになる。
【００３９】
管理者としてログインする際には、前述のように、管理者ログインパスワードが必要であり、この管理者ログインパスワードは、例えば、予めＲＯＭ１０４に登録されている。管理者としてのログインであると判定すると（ステップＳ５０４において、ＹＥＳ）、ＣＰＵ１０２はステップＳ５１９の処理に進む。
【００４０】
一方、管理者としてのログインでない、すなわち一般ユーザであると判定すると（ステップ５０４において、ＮＯ）、一般にパスワードなしでログインすることができるためセキュリティ上安全でない可能性があると判断し、ＣＰＵ１０２は、画像形成装置１００のネットワーク接続形態が無線ＬＡＮ（つまり、無線通信）であるか否かを判定する（ステップＳ５０６）。接続形態が無線通信でない、すなわち、有線通信であると判定すると（ステップＳ５０６でＮＯ）、ＣＰＵ１０２はステップＳ５０９の処理に進む。
【００４１】
接続形態が無線通信であると判定すると（ステップＳ５０６において、ＹＥＳ）、ＣＰＵ１０２は、リモート端末１１３との無線通信に用いられている無線アクセスポイント（無線ＡＰ）が認証の必要なセキュリティ方式を用いているか否かを判定する（ステップＳ５０７）。例えば、ＣＰＵ１０２はセキュリティ方式（暗号方式）としてＷＥＰ（Ｗｉｒｅｄ  Ｅｑｕｉｖａｌｅｎｔ  Ｐｒｉｖａｃｙ）又はＷＰＡ（Ｗｉ−Ｆｉ  Ｐｒｏｔｅｃｔｅｄ  Ａｃｃｅｓｓ）が用いられているか否かを判定する。つまり、ステップＳ５０７において、ＣＰＵ１０２は、ＷＬＡＮで用いられるセキュリティのレベルが所定のレベルであるか否かを判定することになる。
【００４２】
無線ＡＰが認証の必要なセキュリティ方式を用いていないと（ステップＳ５０７において、ＮＯ）、つまり、ＷＬＡＮで用いられるセキュリティのレベルが所定のレベル以下であると、ＣＰＵ１０２はステップＳ５１３の処理に進む。一方、ＷＬＡＮで用いられるセキュリティのレベルが所定のレベルより大きいと判定されると（ステップＳ５０７でＹＥＳ）、ＣＰＵ１０２はステップＳ５０９の処理に進む。
【００４３】
ステップＳ５０９では、ＣＰＵ１０２は、リモート端末１１３のアクセス要求に応じて画面を表示させるため、無線通信部１１０又は有線通信部１０９を介してアクセス要求に応じた画面のデータを送信する。具体的には、ＣＰＵ１０２は、受信したアクセス要求によって指定されるＵＲＬを確認し、このＵＲＬに対応するＨＴＭＬファイルをリモート端末１１３に送信する。上記確認の結果、アクセス要求がポータル画面（初期画面、トップ画面ともいう）を表示する要求である場合にはポータル画面のデータがリモート端末へ送信される。このポータル画面には、画像形成装置１００に係る装置情報が表示される。また、ユーザの電話帳情報や部門管理情報などを表示する画面への画面遷移するためのボタン（項目）もポータル画面に表示されている。例えば、リモート端末１１３で電話帳情報を表示するためのボタン（項目）が操作された場合には、画像形成装置１００は、電話帳情報を表示するための画面の要求をステップＳ５０１でリモート端末１１３から受信することになる。
【００４４】
ステップＳ５１３では、ＣＰＵ１０２はステップＳ５０１で受信したアクセス要求を拒否する。続いて、ＣＰＵ１０２は、リモート端末１１３の表示部に図４に示す画面を表示するためのデータをリモート端末１１３に送信することによってリモート端末１１３にアクセス要求が制限された旨を通知するとともに、操作パネル１１１には図５に示すアクセス承認画面を表示する（ステップＳ５１４）。
【００４５】
図４は、図１に示すリモート端末１１３に表示される画面の一例を示す図である。
【００４６】
リモート端末１１３に表示される実機操作指示画面には、リモート端末１１３によるアクセスが制限されている旨およびアクセス制限の解除のための方法が表示される。リモート端末１１３に実機操作指示画面を表示した後、ＣＰＵ１０２は操作パネル１１１に、後述のアクセス許可画面を表示する（ステップＳ５１５）。
【００４７】
図５は、図１に示す操作パネル１１１に表示されるアクセス許可画面の一例を示す図である。
【００４８】
前述のように、リモート端末１１３がログインを行う際には、リモート端末１１３から画像形成装置１００に端末識別情報が送られる。この端末識別情報は、例えば、端末名、ＩＰ（Ｉｎｔｅｒｎｅｔ  ｐｒｏｔｏｃｏｌ）アドレス、およびＭＡＣ（Ｍｅｄｉａ  Ａｃｃｅｓｓ  Ｃｏｎｔｒｏｌ）アドレスである。
【００４９】
ＣＰＵ１０２はアクセス許可画面に、アクセス要求を行ったリモート端末１１３の端末名、ＩＰアドレス、およびＭＡＣアドレスを表示するとともに、リモート端末１１３からの処理要求（アクセス）を許可するか否かを示す文言を表示する。
【００５０】
アクセス許可画面が表示された後、ユーザが画像形成装置に赴いて、操作パネル１１１上の矢印キー２０６を用いて、”ＹＥＳ（つまり、アクセス許可）”を選択し、ＯＫキー２０７を押し下げると（つまり、所定の入力操作を行うことになる）、ＣＰＵ１０２はリモート端末１１３による処理要求（アクセス）を許可することになる。
【００５１】
ＣＰＵ１０２はアクセス承認画面においてステップＳ５０１で受信したアクセス要求の許可が選択されたか否かを判定する（ステッップＳ５１６）。アクセス要求の許可が選択されないと（ステップＳ５１６において、ＮＯ）、ＣＰＵ１０２はアクセス処理を終了する（つまり、ＣＰＵ１０２は処理要求の受け付けを中止することになる）。
【００５２】
なお、アクセス承認画面を表示した後、予め設定された時間を経過しても何ら操作が行われないと、ＣＰＵ１０２はアクセス処理を終了する。
【００５３】
一方、アクセス要求の許可が選択されると（ステップＳ５１６において、ＹＥＳ）、ＣＰＵ１０２は選択した処理項目に対する処理要求（アクセス）を許可し、ステップＳ５０９の処理に進む。
【００５４】
ステップＳ５１９は、ステップＳ５０４でＹＥＳと判定された場合の処理である。ステップＳ５１９では、ＣＰＵ１０２は、アクセス要求を行ったリモート端末１１３を新たに登録するための登録画面を操作パネル１１１に表示する。
【００５５】
図示はしないが、この登録画面には、少なくとも登録ボタンおよびキャンセルボタンが表示される。ＣＰＵ１０２は登録画面において登録ボタンおよびキャンセルボタンのいずれが押し下げられたか否かを判定する（ステップＳ５１９）。登録ボタンが押し下げられると（ステップＳ５１９において、ＹＥＳ）、ＣＰＵ１０２はアクセス要求を送信したリモート端末１１３の端末識別情報をＲＯＭ１０４に登録する（ステップＳ５２０）。そして、ＣＰＵ１０２はステップＳ５０９の処理に進む。
【００５６】
キャンセルボタンが押し下げられると（ステップＳ５１９において、ＮＯ）、ＣＰＵ１０２はアクセス要求したリモート端末１１３の端末識別情報の登録を行わずに、アクセス処理を終了する。なお、登録画面を表示した後、所定の時間が経過すると、ＣＰＵ１０２はキャンセルされたものとして、アクセス要求したリモート端末１１３の端末識別情報の登録を行わない。
【００５７】
ステップＳ５０３において、画像形成装置１００がアクセス無条件許可状態であるか又は端末識別情報が登録されていると（ステップＳ５０３において、ＹＥＳ）、ＣＰＵ１０２は、アクセス要求をしたリモート端末１１３にアクセス許可を行って（ステップＳ５２１）、ステップＳ５０９の処理に進む。
【００５８】
ステップＳ５０５において、管理者ログインパスワードが設定されていると（ステップ５０５において、ＹＥＳ）、ＣＰＵ１０２は、ステップＳ５１７の処理に進んで、処理要求（アクセス）を許可する（アクセス許可）。また、ステップＳ５０６において、接続形態がＷＬＡＮ１１４でないと判定すると（ステップＳ５０６において、ＮＯ）、ＣＰＵ１０２は、接続形態が有線ＬＡＮであるとして、ステップＳ５１７の処理に進む。ステップＳ５０７において、無線ＡＰが認証の必要なセキュリティ方式を用いていると（ステップＳ５０７において、ＹＥＳ）、ＣＰＵ１０２はステップＳ５１７の処理に進む。
【００５９】
なお、図３における処理項目とは、例えば、前述の画像形成装置１００に係る装置情報、ユーザの電話帳情報、および部門管理情報などが設定情報である。
【００６０】
上述の例では、アクセス要求を行ったリモート端末１１３に対してアクセス制限を行った際には、操作パネル１１１に表示されるアクセス承認画面からアクセス承認の許可（ＹＥＳ）を選択した場合に、ＣＰＵ１０２はアクセス要求を許可する。この代わりに、リモート端末１１３に特定の操作方法を指定した画面を表示して、ユーザが操作パネル１１１において特定の操作方法に応じた操作を行うと、当該リモート端末のアクセスを許可するようにしてもよい。例えば、リモート端末１１３に「画像形成装置において以下のパスコードを入力してください：１２３４」と表示する。そして、ユーザが操作パネル１１１において、指定されたパスコードを入力すると（所定の入力操作を行うことになる）、ＣＰＵ１０２はリモート端末１１３を認証して、処理要求（アクセス）を許可するようにしてもよい。このようにすれば、図５に示す例に比べて、第三者の誤操作による認証を防止することができる。
【００６１】
このように、本発明の実施の形態では、リモート端末１１３からＷＬＡＮ１１４を介してアクセス要求があった際に、当該リモート端末１１３が登録された端末でないと、外部秘などの秘密を要する処理項目については、画像形成装置１００に赴いて画像形成装置１００をアクセスできるユーザのみが画像形成装置で閲覧できるようにしたので、不正アクセスを防止するとともに、事前登録がなくてもユーザは閲覧を行うことができ、利便性が向上する。
【００６２】
上述の説明から明らかなように、図１に示す例では、有線通信部１０９および無線通信部１１０が受信手段として機能する。また、ＣＰＵ１０２は判定手段として機能し、ＣＰＵ１０２および無線通信部１１０は制御手段として機能する。さらに、ＣＰＵ１０２および操作パネル１１１は設定手段として機能し、ＣＰＵ１０２および無線通信部１１０はログイン画面データ送信手段として機能する。
【００６３】
なお、上述の実施の形態では、情報処理装置の一例として画像形成装置を例に挙げて説明したが、画像形成装置以外の情報処理装置、例えば、コンピュータを外部装置から無線通信によって使用する場合にも同様にして適用できる。
【００６４】
以上、本発明について実施の形態に基づいて説明したが、本発明は、これらの実施の形態に限定されるものではなく、この発明の要旨を逸脱しない範囲の様々な形態も本発明に含まれる。
【００６５】
例えば、上記の実施の形態の機能を制御方法として、この制御方法を情報処理装置に実行させるようにすればよい。また、上述の実施の形態の機能を有するプログラムを制御プログラムとして、この制御プログラムを情報処理装置が備えるコンピュータに実行させるようにしてもよい。なお、制御プログラムは、例えば、コンピュータに読み取り可能な記録媒体に記録される。
【００６６】
この際、制御方法および制御プログラムの各々は、少なくとも受信ステップ、判定ステップ、および送信ステップを有することになる。
【００６７】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【００６８】
１０１  コントローラ部
１０２  ＣＰＵ
１０４  ＲＯＭ
１０６  印刷部（プリンタエンジン）
１０８  読取部（スキャナエンジン）
１０９  有線通信部
１１０  無線通信部
１１１  操作パネル
１１３    リモート端末
１１４  無線ＬＡＮ（ＷＬＡＮ）
【図１】
2013117834.tif 000003
【図２】
2013117834.tif 000004
【図３】
2013117834.tif 000005
【図４】
2013117834.tif 000006
【図５】
2013117834.tif 000007